(57)【要約】【課題】  特別な調整装置を準備することなく簡単に、調整作業に即応した精度の高い調整結果が得られる構成を備えたレーザ墨出し器を提供する。【解決手段】  レーザ墨出し器本体の底部に位置する底部ベース１Ａと、底部ベース１Ａに取り付けられ脚部３を備えた支持ベース部１Ｂと、支持ベース部１Ｂに設けられて３脚などの支持脚２を締結可能な支持脚取り付け部１Ｂ１とを備え、底部ベース１Ａと支持ベース１Ｂとには、底部ベース１Ａの水準調整を行う傾き調整機構が設けられ、傾き調整機構は、底部ベース１Ａおよび支持ベース１Ｂに挿通されて底部ベース１Ａに締結されている調整ネジ５と、調整ネジ５とは別に、底部ベース１Ｂに締結されている支点部材６と、調整ネジ５および支点部材６のネジ部面の一面が常時圧接する方向に付勢する弾性体８を備えている。【選択図】        図２
2010066164.tif 000002
【特許請求の範囲】
【請求項１】
レーザ光出射部が装備されているレーザ墨出し器において、
レーザ墨出し器本体の底部に位置する底部ベースと、
前記底部ベースに取り付けられた複数の脚部を備えた支持ベースと、
前記支持ベースに設けられて三脚などの支持脚を締結可能な支持脚取り付け部と、を備え、
前記底部ベースと前記支持ベースには、底部ベースの水準調整を行う傾き調整機構が設けられ、
傾き調整機構は、前記支持ベースの周方向の複数位置に挿通されて前記底部ベースに締結されている調整ネジと、周方向において前記調整ネジの位置と異なる位置に設けられていて前記底部ベースと前記支持ベースとの間隔を一定に保つ支点部材と、前記底部ベースと前記支持ベースとの間に介在して常時前記底部ベースと前記支持ベースを互いに離間する向きに付勢している弾性体とを有していることを特徴とするレーザ墨出し器。
【請求項２】
前記弾性体は、ゴムまたは軟質プラスチックで構成され、前記底部ベースの下面と前記支持ベースの前記支持脚取り付け部との間に充填されていることを特徴とする請求項１に記載のレーザ墨出し器。
【請求項３】
前記弾性体はコイルバネで構成され、前記底部ベースの下面と前記支持ベースの前記支持脚取り付け部との間に介在していることを特徴とする請求項１に記載のレーザ墨出し器。
【請求項４】
前記調整ネジは、周方向に１２０°間隔で設けられていることを特徴とする請求項１に記載のレーザ墨出し器。
【請求項５】
支点部材は、支持ベースを貫いて底部ベースにねじ込まれたネジからなり、このネジの頭部と支持ベースとの間に、前記底部ベースと前記支持ベースを互いに接近する向きに付勢する付勢部材が介在している請求項１に記載のレーザ墨出し器。
【発明の詳細な説明】
【技術分野】
【０００１】
本発明は、レーザ墨出し器に関し、さらに詳しくは、レーザ墨出し器本体を支持脚に取り付けた場合でも、墨出し器単体で設置する場合でも、墨出し器が備えている傾き調整機構、いわゆる、水準調整機構で設置姿勢を調整することができるようにしたことを特徴とするものである。
【背景技術】
【０００２】
建築現場での壁面や床面に対して墨出しを行う装置として、半導体レーザおよびレンズを介して壁面や天井面あるいは床面に対し、直線状のレーザ光を鉛直線あるいは水平線を照射するレーザ墨出し器が知られている。
レーザ墨出し器には、設置面が傾斜している場合であっても、墨出し器が所定の姿勢を保持するように調整することができる水準調整構成を備えたものがある（例えば、特許文献１）。
【０００３】
特許文献１には、レーザ墨出し器本体を搭載可能な台座と、台座の周方向に沿って３等分された位置にそれぞれネジ結合された垂直脚部とを備えた構成が開示されている。この構成においては、レーザ墨出し器本体の傾斜を微調整する際に、垂直脚部を回転させてネジ結合部の進退量を調整するようになっている。
【０００４】
一方、レーザ墨出し器は、本体自体を設置面に置いて使用する場合だけでなく、三脚などの支持脚に搭載して使用する場合もある。
支持脚にレーザ墨出し器を搭載した場合においても支持脚の設置面に傾きがある場合には水準調整が必要となる。
【０００５】
支持脚での傾き調整は、カメラに使用される支持脚と同様に、脚部先端にネジ結合されている足部を回転させることによって足部の進退量を調整して水準調整することが一般に知られている。
【０００６】
しかし、支持脚の足部は、搭載されているレーザ墨出し器から離れた位置にあるため、足部での回転操作がレーザ墨出し器の水準調整にどれだけ作用しているかを確認するには、場合によっては見上げるような姿勢で行う必要があり、一々、足部とレーザ墨出し器との間で視線を移さなければならず、調整作業が面倒なものとなる。しかも、足部の調整では大まかな調整はできても、レーザ墨出し器の水準度をきめ細かく正確に調整することが困難であるのが現状である。
【０００７】
そこで、支持脚とは別に、支持脚におけるレーザ墨出し器の搭載位置に傾き調整が可能なアダプターを設け、アダプターにおいてレーザ墨出し器の脚部と同様にネジ結合された調整部材を用いてネジの進退量を変化させることにより水準調整する構成が提案されている（例えば、特許文献２）。
【０００８】
特許文献２には、レーザ墨出し器の底部に一体化され、下方に向け膨出する凸状の球面座を備えたベース部材と、この球面座に嵌合可能な凹状の球面座を有した墨出し器受け部材とを調整ネジにより連結した構成が開示されている。
【０００９】
この特許文献２記載の構成では、傾きを矯正できる位置の調整ネジを回転操作することによってベース部材側の球面座を、墨出し器受け部材側の球面座内で傾けることによりレーザ墨出し器の傾きを調整することができる。
【００１０】
【特許文献１】特開２００６−１１３３０３
【特許文献２】特開２００６−３４９３５０
【発明の開示】
【発明が解決しようとする課題】
【００１１】
上記特許文献に開示されている構成では、傾き調整に用いられる部材としてネジが相当している。
しかし、ネジを用いた場合には、加工精度によってネジ面同士の間に隙間が生じる、いわゆる、バックラッシュなどの誤差が生じている場合がある。
このため、傾き調整に際して回転量に即応した調整結果を正確に得ることが難しく、調整作業が面倒となる虞がある。
【００１２】
一方、レーザ墨出し器が搭載される支持脚とは別に、傾き調整用のアダプターを準備することは部品点数の増加やコスト増加を招く原因となる。
【００１３】
本発明の目的は、上記レーザ墨出し器における問題、特に、設置面での水準調整を行う際の問題に鑑み、特別な調整装置を準備することなく簡単にしかも調整作業に即応した精度の高い調整結果が得られる構成を備えたレーザ墨出し器を提供することにある。
【課題を解決するための手段】
【００１４】
この目的を達成するため、本発明は、
レーザ光出射部が装備されているレーザ墨出し器において、
レーザ墨出し器本体の底部に位置する底部ベースと、
前記底部ベースに取り付けられた複数の脚部を備えた支持ベースと、
前記支持ベースに設けられて三脚などの支持脚を締結可能な支持脚取り付け部と、を備え、
前記底部ベースと前記支持ベースには、底部ベースの水準調整を行う傾き調整機構が設けられ、
傾き調整機構は、前記支持ベースの周方向の複数位置に挿通されて前記底部ベースに締結されている調整ネジと、周方向において前記調整ネジの位置と異なる位置に設けられていて前記底部ベースと前記支持ベースとの間隔を一定に保つ支点部材と、前記底部ベースと前記支持ベースとの間に介在して常時前記底部ベースと前記支持ベースを互いに離間する向きに付勢している弾性体とを有していることを主要な特徴としている。
【００１５】
前記弾性体をゴムまたは軟質プラスチックで構成し、これを前記底部ベースの下面と前記支持ベースの前記支持脚取り付け部との間に充填するとよい。
【００１６】
前記弾性体をコイルバネで構成し、これを前記底部ベースの下面と前記支持ベースの前記支持脚取り付け部との間に介在させてもよい。
【００１７】
前記調整ネジは、周方向で１２０°の位相により等分された位置にそれぞれ設けるとよい。
支点部材は、支持ベースを貫いて底部ベースにねじ込まれたネジで構成し、このネジの頭部と支持ベースとの間に、前記底部ベースと前記支持ベースを互いに接近する向きに付勢する付勢部材を介在させるとよい。
【発明の効果】
【００１８】
本発明によれば、レーザ墨出し器側の部材である底部ベース部材と支持脚の取り付け部を有した支持ベースに水準調整を行うための傾き調整機構が設けられているので、レーザ墨出し器本体が傾き調整機構を備えていることになる。したがって、例えば、外部の三脚などに装着する場合であっても、特別な水準調整アダプターなどは不要である。
【００１９】
しかも、傾き調整機構には、支点部材が設けられるとともに、底部ベースと支持ベースとの間に底部ベースと支持ベース互いに離間する向きに付勢する弾性体が配置されているので、調整ネジのバックラッシュをなくして、調整ネジが回転された際の進退量に誤差を生じさせないようにすることができる。この結果、調整ネジの回転量に即応して正確な傾き調整量を設定することができる。
【発明を実施するための最良の形態】
【００２０】
以下、図面を参照しながら、発明を実施するための最良の形態について説明する。
図１は、レーザ墨出し器１が三脚などの支持脚２に搭載されている状態を示す外観図である。符号３は周方向の３箇所に等間隔に設けられた脚部を、４は三脚取り付け部材を、１Ｂは支持ベースをそれぞれ示している。
レーザ墨出し器１は、図２に示すように、レーザ墨出し器本体の底部に位置する底部ベース１Ａとこの底部ベース１Ａの下面に結合されている支持ベース１Ｂとを備えている。
支持ベース１Ｂには、周方向の等分位置に３個の脚部３が、そして、下面中央に、下方へ突出する筒部で構成された支持脚取り付け部１Ｂ１がそれぞれ設けられている。
支持脚取り付け部１Ｂ１の内部にはネジが形成されており、このネジに、支持脚２の頭部に装備されている円柱状の三脚取り付け部材４の雄ネジがねじ込まれることにより、支持脚取り付け部１Ｂ１と三脚取り付け部材４が締結され、レーザ墨出し器１が支持脚２に取り付けられている。
【００２１】
図２においてレーザ墨出し器１の底部ベース１Ａと支持ベース１Ｂとには、レーザ墨出し器１の水準調整を行うための傾き調整機構が設けられている。
傾き調整機構は、図２および図３に示すように、底部ベース１Ａおよび支持ベース１Ｂにおいて周方向に等分された複数の位置に設けられている調整ネジ５と、これら調整ネジ５とは周方向の別の位置に設けられた支点部材６と、支点部材６の外周を取り囲んで配置されているバネ７と底部ベース１Ａと三脚取り付け部材４との間に配置されている弾性体８を備えることによって構成されている。
【００２２】
調整ネジ５は、支持ベース１Ｂに形成された孔を貫いていて、調整ネジ５の先端部に形成されたネジ部が底部ベース１Ａに締結されている。なお、調整ネジ５は、図３に示すように、周方向に３等分（図３において符号θで示す角度が１２０°に設定されている状態）された位置にそれぞれ設けられている。このような３点による調整を可能にすることが、安定性の確保と傾きの微調整を行う上で好ましい。ただし、複数のネジ５は、必ずしも周方向に等間隔で配置されている必要はない。
また、一つの支点部材６と二つの調整ネジ５を周方向に等間隔にすなわち１２０度間隔で設けても傾き調整が可能である。さらには、一つの支点部材６と一つの調整ネジ５の中心を結ぶ線と、一つの支点部材６と他の一つの調整ネジ５の中心を結ぶ線とが直交するように配置してもよい。
【００２３】
なお、図３においては、調整ネジ５の一つを二点鎖線で示しているが、これは、設置面の傾きが限られた方向で調整できることを前提とした場合に、一つを省略できることを意味している。しかし、実際の設置面の傾き調整に際して如何様な方向での傾きにも対応するには、２箇所よりも３箇所の方が微調整の際の精度を上げるうえで好ましいといえる。
また、その配置位置に関しては、特に調整ネジ５の回転操作部が下向きであることから、支持ベース１Ｂにおいて下向きに垂下している支持脚２と干渉しないように、図３に示すように、配置位相をずらすことが望ましい。
【００２４】
支点部材６は、その中心軸が、各調整ネジ５の中心軸を通る円であって墨出し器１の中心軸を中心とする同心円上に位置して、頭部６Ａを支持ベース１Ｂの下方に位置させた状態で底部ベース１Ａに締結されている。
支点部材６は、一旦締結されると回転操作されることがなく、調整ネジ５の回転操作による底部ベース１Ａの傾きを生起させる際の傾動支点として用いられる部材である。支点部材６の位置においては、底部ベース１Ａと支持ベース１Ｂとの間隔が一定に保たれる。
【００２５】
支点部材６の外周には、支点部材６の頭部６Ａと支持ベース１Ｂの下面との間において圧縮コイルバネ７が配置されていて、圧縮コイルバネ７の弾力で、支点部材６は下方に向け押し下げるように付勢されている。この付勢により、支点部材６のネジ面と底部ベース１Ａのネジ同士が圧接してがたつきのない状態に維持されることになる。
【００２６】
一方、底部ベース１Ａの下面中央と支持ベース１Ｂが備えている支持脚取り付け部１Ｂ１の中心孔との間には伸縮可能な弾性体８が配置されている。
弾性体８は、ゴムまたは軟質樹脂などの形状復元が可能な伸縮部材であり、底部ベース１Ａの下面に弾性体８の上面が当接させてある。弾性体８は、円筒形状の素材の外周に周溝を形成することにより、軸線方向両端部に鍔部を有する形状になっていて、上記周溝が支持ベース１Ｂの中心孔に嵌められ、支持ベース１Ｂの中心孔の周縁部を上記両端部の鍔部が挟み込んでいる。このようにして弾性体８取り付けられ、弾性体８の下面は、支持ベース１Ｂ側の支持脚取り付け部１Ｂ１内に締結される三脚取り付け部材４の上面に当接するようになっている。
【００２７】
弾性体８は、図２において縦方向の厚さが、底部ベース１Ａと支持脚取り付け部１Ｂ１に締結完了後の三脚取り付け部材４の上面との間の距離よりもわずかに厚く形成されている。これにより、弾性体８は、三脚取り付け部材４が支持脚取り付け部１Ｂ１内で締結を完了するまでに厚さ方向に収縮されるようになっている。収縮される弾性体８は、収縮される際の形状復元力を底部ベース１Ａに対する押圧力として作用させるようになっている。
【００２８】
本実施形態は以上のような構成であるから、レーザ墨出し器１の組み立て時に底部ベース１Ａと支持ベース１Ｂとの間に、複数の調整ネジ５と支点部材６を有してなる傾き調整機構が組み込まれていることになる。すなわち、調整ネジ５の一つを締め付け、あるいは緩めると、支点部材６を支点として支持ベース１Ｂに対する底部ベース１Ａの角度が変化する。別の調整ネジ５を締め付け、あるいは緩めた場合も、支点部材６を支点として支持ベース１Ｂに対する底部ベース１Ａの角度が変化する。一つ一つの調整ネジ５の調整によって、支持ベース１Ｂに対する底部ベース１Ａの角度が変化する方向が異なるため、墨出し器１を設置した状態でどのような向きに傾いていたとしても、複数の調整ネジ５の調整によって、墨出し器１が所定の姿勢になるように調整することができる。調整ネジ５を締め付けるときは、支点部材６を支点として調整ネジ５側の弾性部材８が圧縮され付勢されながら支持ベース１Ｂに底部ベース１Ａが接近する。調整ネジ５を緩めるときは弾性部材８の付勢力で支持ベース１Ｂに対し底部ベース１Ａが遠ざかる向きに移動する。
【００２９】
このように、墨出し器１自体が傾き調整機構を備えているため、三脚などの支持脚２にレーザ墨出し器１を搭載する場合であっても、上記傾き調整機構を利用して墨出し器の姿勢を調整することができ、支持脚２とは別にレーザ墨出し器１の水準調整アダプターなどを準備する必要がない。
【００３０】
調整ネジ５および支点部材６は、底部ベース１Ａに対してネジで締結される部材であるので、単なるネジ同士の締結関係であるとすれば、バックラッシュの影響を受ける可能性がある。
しかし、本実施形態では、支点部材６に挿嵌されているバネ７および弾性体８の形状復元力が、支持ベース１Ｂに対し底部ベース１Ａを下方に向けて、あるいは上方に向けて押圧する力として作用させるようになっている。このため、底部ベース１Ａに締結されている調整ネジ５および支点部材６のネジ面は一方向に付勢されていることになり、バックラッシュによるネジ面間でのガタがなくなる。
【００３１】
調整ネジ５の回転操作が行われた際には、ネジ面の一面同士が常に圧接した状態に維持されていることにより、ネジ面間での摩擦伝達が回転操作に即応して行えることになる。換言すれば、調整ネジ５の回転量に応じた底部ベース１Ａの傾き量が正確に得られることになり、ガタによる傾き調整の不安定さがなくなる。
【００３２】
ここで、傾き調整機構においてレーザ墨出し器１の水準調整を行う場合を説明すると次の通りである。
傾きが生じている側を推測してその位置に設けてある調整ネジ５の回転操作を行う。この場合の傾き調整は、例えば、レーザ墨出し器１に設けられている傾斜センサーからの警報などを参照しながら行い、傾斜センサーからの警報が停止されるまで調整ネジ５を回転操作するようにするとよい。
調整ネジ５が回転操作されると、底部ベース１Ａが支点部材６を支点として傾き、その状態が維持される。
【００３３】
なお、上記実施形態の構成においては、弾性体８の素材として底部ベース１Ａの下面と三脚取り付け部材４の上面との間に充填可能な素材を用いたが、本発明ではこれに限らず、形状復元が可能なコイルバネ、板バネなどを上記両部材間に装填してもよい。
底部ベース１Ａと支持ベース１Ｂとの間に弾性体８が圧縮されて介在しているので、支点部材６の外周に嵌められているバネ７は必須ではない。支点部材６は、底部ベース１Ａと支持ベース１Ｂとの間隔を一定に保つことができるものであればよい。
【図面の簡単な説明】
【００３４】
【図１】本発明に係るレーザ墨出し器の実施例を支持脚に搭載した状態で示す外観斜視図である。
【図２】図１に示したレーザ墨出し器の底部構造および支持脚の上部構造を示す一部断面正面図である。
【図３】図２に示したレーザ墨出し器の底面図である。
【符号の説明】
【００３５】
１  レーザ墨出し器
１Ａ  底部ベース
１Ｂ  支持ベース
１Ｂ１  支持脚取り付け部
２  支持脚
三脚部
４  三脚取り付け部材
５  調整ネジ
６  支点部材
６Ａ  頭部
７  バネ
８  弾性体
【図１】
2010066164.tif 000003
【図２】
2010066164.tif 000004
【図３】
2010066164.tif 000005